(57)【要約】      （修正有）【課題】組合せが容易で、故障しにくいエアツールヘッド構造を提供する。【解決手段】エアツールヘッド構造は、先端に駆動ギア３２が枢着された収納空間３１が設けられるエアツール本体３０と、収納空間３１内に枢着される伝達素子４０と、中央に貫通孔５２が形成され、収納空間３１の末端に固定される位置制限部材５０とを含有する。伝達素子４０には、ギア部材４１と連結部材４２及び軸受が備えられ、ギア部材４１の一端に、駆動ギア３２に対応する伝達ギア４１１が設けられる。【選択図】図３
0003180944.tif 000002
【実用新案登録請求の範囲】
【請求項１】
エアツール本体と、伝達素子と、位置制限部材とを含有するエアツールヘッド構造体であって、上記エアツール本体は、その先端に、駆動ギアが枢着された収納空間が設けられ、
上記伝達素子は、上記収納空間内に枢着され、ギア部材と連結部材及び軸受が備えなれ、上記ギア部材が、その一端に、上記駆動ギアに対応して伝達ギアが設けられ、上記伝達ギアの後端に、第一位置制限部が形成され、上記第一位置制限部の後端に、ギア棒が設けられ、上記ギア棒の末端に、第一組合せ部が設けられ、上記軸受が、上記ギア棒に貫設され、上記軸受の一側が、上記第一位置制限部によって位置制限され、上記連結部材に、第二組合せ部が設けられ、上記第二組合せ部と上記第一組合せ部とが、互いに結合され、上記連結部材に、第二位置制限部が設けられ、上記第二位置制限部により、上記軸受のもう一側が位置制限され、上記位置制限部材は、中央に、貫通孔が形成され、上記収納空間の末端に固定され、上記軸受を、上記収納空間内に位置制限させるように構成したことを特徴とするエアツールヘッド構造。
【請求項２】
上記第一組合せ部が、凹槽で、上記凹槽内に、雌ねじが形成され、上記第二組合せ部に、上記凹槽に対応するねじ棒が形成され、上記ねじ棒と上記凹槽とが、互い螺着され、それとともの、上記連結部材において、上記第二組合せ部のもう一側に、組合せ棒が形成され、上記組合せ棒が、上記貫通穴に貫通した後、上記収納空間の外へ突出することを特徴とする請求項１に記載のエアツールヘッド構造。
【請求項３】
上記第一組合せ部が、上記ギア棒の末端に、雄ねじが形成され、上記連結部材の第二組合せ部が、相対的に螺着槽になり、上記螺着槽が、相対的に上記雄ねじに螺着され、上記ギア棒の末端に、組合せ棒が突出し、上記組合せ棒が、上記貫通穴に貫通した後、上記収納空間の外へ突出することを特徴とする請求項１に記載のエアツールヘッド構造。
【請求項４】
上記第一組合せ部が、凹槽で、上記第二組合せ部に、上記凹槽に対応する圧迫棒が設けられ、上記圧迫棒と、上記凹槽とが、緊密に固定されて、それとともに、上記連結部材において、上記第二組合せ部のもう一側に、組合せ棒が突出し、上記組合せ棒が、上記貫通穴に貫通した後、上記収納空間の外へ突出することを特徴とする請求項１に記載のエアツールヘッド構造。
【請求項５】
上記第一組合せ部において、上記ギア棒の末端に、リング状凹槽が設けられ、上記連結部材の第二組合せ部が、対応するようなＣ係止部材であり、上記連結部材が、上記ギア棒に嵌設された後、上記Ｃ係止部材が、上記リング状凹槽内に位置制限され、上記ギア棒の末端から、組合せ棒が突出し、上記組合せ棒が、上記貫通穴に貫通した後、上記収納空間の外へ突出することを特徴とする請求項１に記載のエアツールヘッド構造。
【請求項６】
上記軸受が、複列玉軸受であることを特徴とする請求項１に記載のエアツールヘッド構造。
【請求項７】
上記収納空間の末端に、雌ねじが螺着され、上記位置制限部材の外側に、リング状に、上記収納空間の末端に螺着される雄ねじが設けられることを特徴とする請求項１に記載のエアツールヘッド構造。
【請求項８】
上記エアツールが、エア研磨機であることを特徴とする請求項１に記載のエアツールヘッド構造。
【請求項９】
上記エアツールが、エアポリッシャであることを特徴とする請求項１に記載のエアツールヘッド構造。
【考案の詳細な説明】
【技術分野】
【０００１】
本考案は、エアツールヘッド構造に関する。
【背景技術】
【０００２】
図１は、従来のエアツールヘッドの分解図であり、主として、エアツール本体１０にギア（図に未表示）が設置されたものである。上記ギアは、上記エアツール本体１０の先端のハウジング１２内に設けられ、上記ハウジング１２内に、伝達素子２０が組合せられている。上記伝達素子２０に、伝達棒２１とギア２２及び軸受２３が含まれ、上記伝達棒２１の一端の周りに、キー溝２１１が設けられている。上記伝達棒２１のもう一端が、ハウジングの外１２へ突出して組合せ部２１２が設けられている。これらの要素を組み立てるには、まず、上記軸受２３を上記伝達棒２１に貫通させて、上記ギア２２を上記伝達棒２１の末端に組立て、上記ギア２２の内側に、キー溝２２１が設けられる。上記伝達棒２１のキー溝２１１と、上記ギア２２のキー溝２２１とが、キー２４で、上記ギア２２と上記伝達棒２１を位置制限して固定させる。上記ギア２２と上記エアツール本体１０のギアが噛合うことにより、上記伝達棒２１が回転するように駆動し、また、上記伝達棒２１に組合せられたツールが回転し、その中で、上記伝達素子２０を組立てる時、上記伝達棒２１と上記ギア２２とが、圧迫的に固定される。その組合せが容易ではなく、また、組合せるために、必要とする空間が長いため、ハウジング１２の空間を、組立てのために、大きくしなければならなく、また、上記伝達素子２０が回転する時、上記キー溝２１１や２２１と、キー２４との間に、隙間が発生し、上記隙間により、上記伝達棒２１と上記ギア２２との間において、衝撃が発生するため、使用過程において、容易に騒音が発生し、また、容易に故障になるという問題がある。
【０００３】
特開２００７−９８５３９号公報および特開２００９−９８５３９号公報には、供給空気量の調節機構および分解せずに歯間に潤滑する点について記載されているが、各要素の面積を最小化するような点については開示がない。
【特許文献１】特開２００９−９８５３９号公報
【特許文献２】特開２００５−１１１６０２号公報
【考案の概要】
【考案が解決しようとする課題】
【０００４】
従って、本考案の課題は、組合せが容易で、故障しにくく、パーツの体積が小さい等の利点が得られるエアツールヘッド構造を提供することにある。
【課題を解決するための手段】
【０００５】
そこで、本考案者は、前記の本考案の課題を解決するために鋭意検討を重ねた結果、エアツール本体と、伝達手段と、位置制御手段を組み合わせることにより、各要素の構成を最適化することにより、上記課題を解決できる点に着目し、かかる知見に基いて本考案に想到するに至った。
【０００６】
かくして、請求項１の考案によれば、エアツール本体と、伝達素子と、位置制限部材とを含有するエアツールヘッド構造体であって、上記エアツール本体は、その先端に、駆動ギアが枢着された収納空間が設けられ、
上記伝達素子は、上記収納空間内に枢着され、ギア部材と連結部材及び軸受が備えなれ、上記ギア部材が、その一端に、上記駆動ギアに対応して伝達ギアが設けられ、上記伝達ギアの後端に、第一位置制限部が形成され、上記第一位置制限部の後端に、ギア棒が設けられ、上記ギア棒の末端に、第一組合せ部が設けられ、
上記軸受が、上記ギア棒に貫設され、上記軸受の一側が、上記第一位置制限部によって位置制限され、上記連結部材に、第二組合せ部が設けられ、上記第二組合せ部と上記第一組合せ部とが、互いに結合され、上記連結部材に、第二位置制限部が設けられ、上記第二位置制限部により、上記軸受のもう一側が位置制限され、上記位置制限部材は、中央に、貫通孔が形成され、上記収納空間の末端に固定され、上記軸受を、上記収納空間内に位置制限させるように構成したことを特徴とするエアツールヘッド構造が提供される。
【０００７】
請求項２の考案によれば、上記第一組合せ部が、凹槽で、上記凹槽内に、雌ねじが形成され、上記第二組合せ部に、上記凹槽に対応するねじ棒が形成され、上記ねじ棒と上記凹槽とが、互い螺着され、それとともの、上記連結部材において、上記第二組合せ部のもう一側に、組合せ棒が形成され、上記組合せ棒が、上記貫通穴に貫通した後、上記収納空間の外へ突出することを特徴とする請求項１に記載のエアツールヘッド構造が提供される。
【０００８】
請求項３の考案によれば、上記第一組合せ部が、上記ギア棒の末端に、雄ねじが形成され、上記連結部材の第二組合せ部が、相対的に螺着槽になり、上記螺着槽が、相対的に上記雄ねじに螺着され、上記ギア棒の末端に、組合せ棒が突出し、上記組合せ棒が、上記貫通穴に貫通した後、上記収納空間の外へ突出することを特徴とする請求項１に記載のエアツールヘッド構造が提供される。
【０００９】
請求項４の考案によれば、上記第一組合せ部が、凹槽で、上記第二組合せ部に、上記凹槽に対応する圧迫棒が設けられ、上記圧迫棒と、上記凹槽とが、緊密に固定されて、それとともに、上記連結部材において、上記第二組合せ部のもう一側に、組合せ棒が突出し、上記組合せ棒が、上記貫通穴に貫通した後、上記収納空間の外へ突出することを特徴とする請求項１に記載のエアツールヘッド構造が提供される。
【００１０】
請求項５の考案によれば、上記第一組合せ部において、上記ギア棒の末端に、リング状凹槽が設けられ、上記連結部材の第二組合せ部が、対応するようなＣ係止部材であり、上記連結部材が、上記ギア棒に嵌設された後、上記Ｃ係止部材が、上記リング状凹槽内に位置制限され、上記ギア棒の末端から、組合せ棒が突出し、上記組合せ棒が、上記貫通穴に貫通した後、上記収納空間の外へ突出することを特徴とする請求項１に記載のエアツールヘッド構造が提供される。
【００１１】
請求項６の考案によれば、上記軸受が、複列玉軸受であることを特徴とする請求項１に記載のエアツールヘッド構造が提供される。
【００１２】
請求項７の考案によれば、上記収納空間の末端に、雌ねじが螺着され、上記位置制限部材の外側に、リング状に、上記収納空間の末端に螺着される雄ねじが設けられることを特徴とする請求項１に記載のエアツールヘッド構造が提供される。
【００１３】
請求項８の考案によれば、上記エアツールが、エア研磨機であることを特徴とする請求項１に記載のエアツールヘッド構造が提供される。
【００１４】
請求項９の考案によれば、上記エアツールが、エアポリッシャであることを特徴とする請求項１に記載のエアツールヘッド構造が提供される。
【考案の効果】
【００１５】
本考案は上記の構成からなり、ギア部材と連結部材を交互に組み合わせれば、固定可能であるなど、組合せ方式が簡便で、精度も向上し、また、騒音の低下を図ることができる。
【考案を実施するための最良の形態】
【００１６】
以下、図面を参照しながら、本考案の特徴や技術内容について、詳しく説明するが、それらの図面等は、参考や説明のためであり、本考案は、それらによって限定されるものではない。
【００１７】
図2と図3は、本考案のより良い実施形態のエアツールであり、先端に、収納空間３１が設けられ、上記収納空間３１の末端に、雌ねじ３１１が螺着され、上記収納空間３１内に、駆動ギア３２が枢着され、上記エアツールが、エア研磨機やエアポリッシャであるエアツール本体３０と、上記収納空間３１内に枢着され、ギア部材４１と連結部材４２及び軸受４３が含有され、上記ギア部材４１の一端に、上記駆動ギア３２に対応して、伝達ギア４１１が設けられ、上記伝達ギア４１１の後端に、第一位置制限部４１２が形成され、上記第一位置制限部４１２の後端に、ギア棒４１３が設けられ、上記ギア棒４１３の末端に、第一組合せ部４１４が設けられ、上記第一組合せ部４１４が、雄ねじ４１４１で、上記第一組合せ部４１４の末端から、組合せ棒４１５が突出し、上記軸受４３が、上記ギア棒４１３に貫通され、上記軸受４３の一側が、上記第一位置制限部４１２によって、位置制限され、上記連結部材４２に、第二組合せ部４２１が設けられ、上記連結部材４２の第二組合せ部４２１が、相対的に、螺着槽４２１１であり、上記螺着槽４２１１が、相対的に、上記雄ねじ４１４３に螺着され、上記連結部材４２の一側に、第二位置制限部４２２が設けられ、上記第一位置制限部４１２と上記第二位置制限部４２２とにより、上記軸受４３が位置制限されて固定される伝達素子４０と、中央に、上記組合せ棒４１５が貫設されるための貫通穴５１が形成され、周りに、雄ねじ５２が形成され、上記雄ねじ５２が、上記収納空間の雌ねじ３１１に螺着されて、上記収納空間３１の末端に固定され、上記軸受４３が、上記収納空間３１内の所定位置に位置制限される位置制限部材５０と、が含有される。
【００１８】
本考案に係る構造の特徴や運用技術手段及び予期の効果が、下記のように、説明される。
【００１９】
図2と図3を参照ながら、上記伝達素子４０を組合せる時、上記ギア部材４１と上記連結部材４２とを互いに螺着して固定した後、上記軸受４３が、組合せられて固定され、そして、上記位置制限部材５０を上記軸受４３に当接させるように、上記軸受４３が、上記収納空間３１の所定位置内に位置制限され、上記駆動ギア３１により伝達ギア４１１が連動されて、上記組合せ棒４１５が回転し、ツールが回転し、上記の組合せ方式は、一つのギア部材４１と上記連結部材４２とを互い組合せて固定すればよく、その組合せ方式が、簡単で、圧迫方式による組合せることなく、組合せの精度が向上し、また、ギア部材４１の伝達ギア４１１とギア棒４１３とが、一体成形であるため、回転する時、隙間が発生しなく、簡単に噪音を発生しなく、また、故障しにくく、そして、使用したパーツの点数が、比較的に少ないため、収納空間３１を縮小できる。
【００２０】
また、図4は、本考案の他の実施例のヘッドの断面図であり、主な構造は、前の実施例と同じであるが、上記第一組合せ部４１４において、上記ギア棒４１３の末端に、凹槽４１４２が形成されることが、異なり、上記凹槽４１４２内に、雌ねじ４１４３が螺着され、また、上記第二組合せ部４２１が、ねじ棒４２１２から構成され、上記第二組合せ部４２１のねじ棒４２１２と上記第一組合せ部４１４の凹槽４１４２の雌ねじ４１４３とが螺着され、上記連結部材４２において、上記第二組合せ部４２１に対応するもう一側に、組合せ棒４２３が突出するため、上記組合せ棒４２３で、ツールと組合せることができる。
【００２１】
図5は、本考案の更に他の実施例のヘッドの断面図であり、その主な構造が、より良い実施例と同じであるが、上記第一組合せ部４１４が凹槽４１４２で、上記第二組合せ部４２１に、上記凹槽４１４に対応して圧迫棒４２１３が形成され、上記圧迫棒４２１３の直径が、上記凹槽４１４２のアパーチャよりも大きく、上記圧迫棒４１２３が、上記凹槽４１４２内へ圧迫されて緊密的に固定され、そして、上記連結部材４２において、上記第二組合せ部４２１のもう一側に、組合せ棒４２３が突出し、上記組合せ棒４２３が、上記貫通穴５１に貫通した後、上記収納空間３１の外へ突出することが異なる。    
【００２２】
また、図6は、本考案の更に他の実施例のヘッドの断面図であり、その主な構造は、より良い実施例と同じであるが、上記第一組合せ部４１４において、上記ギア棒４１３の末端に、リング状凹槽４１４４が設けられることが異なり、上記連結部材４２の第二組合せ部４２１が、相対的に、Ｃ係止部材４２１４であり、上記連結部材４２が、上記ギア棒４１３に嵌設された後、上記Ｃ係止部材４２１４が、上記リング状凹槽４１４４内に位置制限され、上記連結部材４２が、上記ギア棒４１３に位置制限され、上記ギア棒４１３の末端に、組合せ棒４１５が突出し、上記組合せ棒４１５が、上記貫通穴５１に貫通した後、上記収納空間３１の外へ突出する。
【００２３】
以上は、本考案のより良い実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２４】
【図１】従来のエアツールの分解斜視図である。
【図２】本考案の一実施形態によるエアツールの斜視図である。
【図３】本考案の一実施形態によるエアツールのヘッドの断面図である。
【図４】本考案の一実施形態によるエアツールのヘッドの断面図である。
【図５】本考案の他の実施形態によるエアツールのヘッドの断面図である。
【図６】本考案の更に他の実施形態によるエアツールのヘッドの断面図である。
【符号の説明】
【００２５】
従来
１０  エアツール本体
１１  ギア
１２  ハウジング
２０  伝達素子
２１  伝達棒
２１１  キー溝
２１２  組合せ部
２２  ギア
２２１  キー溝
２３  軸受
２４  キー
本考案
３０  エアツール本体
３１  収納空間
３１１  雌ねじ
３２  駆動ギア
４０  伝達素子
４１  ギア部材
４１１  伝達ギア
４１２  第一位置制限部
４１３  ギア棒
４１４  第一組合せ部
４１４１  雄ねじ
４１４２  凹槽
４１４３  雌ねじ
４１４４  リング状凹槽
４１５  組合せ棒                                          
４２  連結部材
４２１  第二組合せ部
４２１１  螺着槽
４２１２  ねじ棒
４２１３  圧迫棒
４２１４  Ｃ係止部材
４２２  第二位置制限部
４２３  組合せ棒
４３  軸受
５０  位置制限部材
５１  貫通穴
５２  雄ねじ
【図１】
0003180944.tif 000003
【図２】
0003180944.tif 000004
【図３】
0003180944.tif 000005
【図４】
0003180944.tif 000006
【図５】
0003180944.tif 000007
【図６】
0003180944.tif 000008